(57)【要約】【課題】複数のアスペクト比の画像を同時撮影する際のユーザビリティを高めることが可能な撮像装置を提供する。【解決手段】被写体の映像から、第１のアスペクト比で構成される第１撮像領域に対応する画像と、異なる第２のアスペクト比で構成される第２撮像領域に対応する画像と、を抽出して記録する画像記録範囲抽出部と、被写体の映像から、ディスプレイの表示可能領域のアスペクト比で構成される画像を、第１撮像領域が最大限に表示される範囲で抽出する画像表示範囲抽出部と、第２撮像領域が画像表示範囲抽出部により抽出された画像の領域外に存在する場合に、第２撮像領域がディスプレイの表示可能領域外に存在することを示す領域通知画像を生成する領域通知画像生成部と、画像表示範囲抽出部により抽出された画像に領域通知画像を合成して表示画像を生成する画像合成部と、生成された表示画像をディスプレイに表示させる表示制御部と、を備えた。【選択図】図１
2010103676.tif 000002
【特許請求の範囲】
【請求項１】
撮像対象となる被写体の映像から、所定の第１のアスペクト比で構成される第１撮像領域に対応する画像と、前記第１のアスペクト比とは異なる所定の第２のアスペクト比で構成される第２撮像領域に対応する画像と、を抽出して記録する画像記録範囲抽出部と、
前記撮像対象となる被写体の映像から、前記第１撮像領域および前記第２撮像領域に対応する画像を表示するディスプレイの表示可能領域のアスペクト比で構成される画像を、前記第１撮像領域が最大限に表示される範囲で抽出する画像表示範囲抽出部と、
前記第２撮像領域が前記画像表示範囲抽出部により抽出された画像の領域外に存在する場合に、前記第２撮像領域が前記ディスプレイの表示可能領域外に存在することを示す領域通知画像を生成する領域通知画像生成部と、
前記画像表示範囲抽出部により抽出された画像に、前記領域通知画像生成部により生成された領域通知画像を合成して表示画像を生成する画像合成部と、
前記画像合成部により生成された表示画像を前記ディスプレイに表示させる表示制御部と、
を備える撮像装置。
【請求項２】
前記領域通知画像生成部は、前記ディスプレイの表示可能領域外に存在する前記第２撮像領域の方向を示す領域通知アイコンを含む前記領域通知画像を生成する、請求項１に記載の撮像装置。
【請求項３】
前記領域通知画像生成部は、前記ディスプレイの表示可能領域内に前記第２撮像領域の境界の一部が存在する場合には、前記第２撮像領域の境界を示すガイドフレームを含む前記領域通知画像を生成する、請求項２に記載の撮像装置。
【請求項４】
前記第１のアスペクト比および前記第２のアスペクト比の組み合わせは、ユーザにより任意に選択されるアスペクト比である、請求項３に記載の撮像装置。
【請求項５】
前記第１のアスペクト比および前記第２のアスペクト比の組み合わせは、ユーザにより選択される撮像モードに応じて自動で切り替えられる、請求項４に記載の撮像装置。
【請求項６】
前記領域通知画像生成部は、前記画像記録範囲抽出部が前記第２撮像領域に対応する画像を記録中の場合には、前記画像記録範囲抽出部が前記第２撮像領域に対応する画像を記録していない場合における領域通知画像とは異なる領域通知画像を生成する、請求項５に記載の撮像装置。
【請求項７】
前記画像記録範囲抽出部は、前記ディスプレイの表示可能領域外に存在する前記第２撮像領域に、所定のメモ情報を合成して前記第２撮像領域に対応する画像を記録する、請求項６に記載の撮像装置。
【請求項８】
前記ディスプレイを一体として備え、前記表示制御部は、前記画像合成部により生成された表示画像を該ディスプレイに表示させる、請求項１〜７に記載の撮像装置。
【請求項９】
前記表示制御部は、外部接続される所定の外部機器が備えるディスプレイに、前記画像合成部により生成された表示画像を表示させる、請求項１〜８に記載の撮像装置。
【請求項１０】
撮像対象となる被写体の映像から、所定の第１のアスペクト比で構成される第１撮像領域に対応する画像と、前記第１のアスペクト比とは異なる所定の第２のアスペクト比で構成される第２撮像領域に対応する画像と、を表示するディスプレイの表示可能領域のアスペクト比で構成される画像を、前記第１撮像領域が最大限に表示される範囲で抽出する画像表示範囲抽出ステップと、
前記第２撮像領域が前記画像表示範囲抽出ステップにより抽出された画像の領域外に存在する場合に、前記第２撮像領域が前記ディスプレイの表示可能領域外に存在することを示す領域通知画像を生成する領域通知画像生成ステップと、
前記画像表示範囲抽出ステップにより抽出された画像に、前記領域通知画像生成ステップにより生成された領域通知画像を合成して表示画像を生成する画像合成ステップと、
前記画像合成ステップにより生成された表示画像を前記ディスプレイに表示させる表示制御ステップと、
を含む撮像領域表示方法。
【請求項１１】
撮像対象となる被写体の映像から、所定の第１のアスペクト比で構成される第１撮像領域に対応する画像と、前記第１のアスペクト比とは異なる所定の第２のアスペクト比で構成される第２撮像領域に対応する画像と、を表示するディスプレイの表示可能領域のアスペクト比で構成される画像を、前記第１撮像領域が最大限に表示される範囲で抽出する画像表示範囲抽出処理と、
前記第２撮像領域が前記画像表示範囲抽出処理により抽出された画像の領域外に存在する場合に、前記第２撮像領域が前記ディスプレイの表示可能領域外に存在することを示す領域通知画像を生成する領域通知画像生成処理と、
前記画像表示範囲抽出処理により抽出された画像に、前記領域通知画像生成処理により生成された領域通知画像を合成して表示画像を生成する画像合成処理と、
前記画像合成処理により生成された表示画像を前記ディスプレイに表示させる表示制御処理と、
をコンピュータに実行させる撮像領域表示プログラム。
【発明の詳細な説明】
【技術分野】
【０００１】
本発明は、撮像装置、撮像領域表示方法および撮像領域表示プログラムに関する。
【背景技術】
【０００２】
近年のデジタルビデオカメラ等の撮像装置は、撮影する画像のアスペクト比を、例えば、４：３や１６：９といった複数のアスペクト比に切り替えて撮影することができる。また、撮像装置には、例えば、１６：９のアスペクト比の動画像を撮影しながら、４：３のアスペクト比の静止画を同時に撮影する機能が備えられることもある。このように、複数のアスペクト比の画像を同時に撮影可能な機能を備える場合には、ディスプレイなどを介して複数のアスペクト比に対応する適切な撮影領域をユーザに示す必要がある。
【０００３】
例えば、特許文献１においては、同時に撮影する画像のアスペクト比に応じて、各アスペクト比に対応するガイドフレームを動的に切り替えて、液晶ディスプレイなどの表示器に表示させる技術が開示されている。このような特許文献１に記載された技術を利用することにより、ユーザは、表示器に表示されたガイドフレームを参考にして、それぞれのアスペクト比に対応する画像がどのような範囲で記録されるかを視覚的に認識することができる。
【０００４】
【特許文献１】特開２００６−１８０１５２号公報
【発明の開示】
【発明が解決しようとする課題】
【０００５】
しかし、上記特許文献１に記載の技術では、表示器に対して複数のアスペクト比の撮影領域をガイドフレームで示すため、表示器の表示可能領域にそれぞれのガイドフレームを表示させる必要がある。したがって、各アスペクト比に対応するガイドフレームは、必ず表示器の表示可能領域よりも小さい範囲で表示されることとなる。この結果、表示器の表示可能領域の画像と比較して実際に記録される撮影領域が小さいため、ユーザビリティが悪いという問題があった。
【０００６】
これは、例えば、複数のアスペクト比の画像を撮影する場合において、１のアスペクト比の画像を主として撮影し、他のアスペクト比の画像を参考として撮影する場合などに特に顕著となる問題である。すなわち、表示器には、主として撮影するアスペクト比の画像に対応するガイドフレームと、参考として撮影するアスペクト比の画像に対応するガイドフレームと、が同時に表示される。したがって、例えば、参考として撮影するアスペクト比の画像が、主として撮影するアスペクト比の画像よりも大きい場合、主として撮影するアスペクト比の画像に対応するガイドフレームが表示器の表示可能領域において小さく表示されてしまう。この結果、ユーザは、小さく表示されたガイドフレーム内の画像を見て、フレーミング、フォーカシングなどの調整・操作をして主となるアスペクト比の画像を撮影する必要があり、ユーザビリティに優れていないという問題が発生する。
【０００７】
そこで、本発明は、上記問題に鑑みてなされたものであり、本発明の目的とするところは、複数のアスペクト比の画像を同時撮影する際のユーザビリティを高めることが可能な、新規かつ改良された撮像装置、撮像領域表示方法および撮像領域表示プログラムを提供することにある。
【課題を解決するための手段】
【０００８】
上記課題を解決するために、本発明のある観点によれば、撮像対象となる被写体の映像から、所定の第１のアスペクト比で構成される第１撮像領域に対応する画像と、前記第１のアスペクト比とは異なる所定の第２のアスペクト比で構成される第２撮像領域に対応する画像と、を抽出して記録する画像記録範囲抽出部と、前記撮像対象となる被写体の映像から、前記第１撮像領域および前記第２撮像領域に対応する画像を表示するディスプレイの表示可能領域のアスペクト比で構成される画像を、前記第１撮像領域が最大限に表示される範囲で抽出する画像表示範囲抽出部と、前記第２撮像領域が前記画像表示範囲抽出部により抽出された画像の領域外に存在する場合に、前記第２撮像領域が前記ディスプレイの表示可能領域外に存在することを示す領域通知画像を生成する領域通知画像生成部と、前記画像表示範囲抽出部により抽出された画像に、前記領域通知画像生成部により生成された領域通知画像を合成して表示画像を生成する画像合成部と、前記画像合成部により生成された表示画像を前記ディスプレイに表示させる表示制御部と、を備える撮像装置が提供される。
【０００９】
係る構成により、画像記録範囲抽出部は、撮像対象となる被写体の映像から、所定の第１のアスペクト比で構成される第１撮像領域に対応する画像と、前記第１のアスペクト比とは異なる所定の第２のアスペクト比で構成される第２撮像領域に対応する画像と、を抽出して記録することができる。また、画像表示範囲抽出部は、撮像対象となる被写体の映像から、第１撮像領域および第２撮像領域に対応する画像を表示するディスプレイの表示可能領域のアスペクト比で構成される画像を、第１撮像領域が最大限に表示される範囲で抽出することができる。また、領域通知画像生成部は、第２撮像領域が画像表示範囲抽出部により抽出された画像の領域外に存在する場合に、第２撮像領域がディスプレイの表示可能領域外に存在することを示す領域通知画像を生成することができる。また、画像合成部は、画像表示範囲抽出部により抽出された画像に、領域通知画像生成部により生成された領域通知画像を合成して表示画像を生成することができる。さらに、表示制御部は、画像合成部により生成された表示画像をディスプレイに表示させることができる。
【００１０】
また、前記領域通知画像生成部は、前記ディスプレイの表示可能領域外に存在する前記第２撮像領域の方向を示す領域通知アイコンを含む前記領域通知画像を生成することもできる。
【００１１】
また、前記領域通知画像生成部は、前記ディスプレイの表示可能領域内に前記第２撮像領域の境界の一部が存在する場合には、前記第２撮像領域の境界を示すガイドフレームを含む前記領域通知画像を生成することもできる。
【００１２】
また、前記第１のアスペクト比および前記第２のアスペクト比の組み合わせは、ユーザにより任意に選択されるアスペクト比とすることもできる。
【００１３】
また、前記第１のアスペクト比および前記第２のアスペクト比の組み合わせは、ユーザにより選択される撮像モードに応じて自動で切り替えられることもできる。
【００１４】
また、前記領域通知画像生成部は、前記画像記録範囲抽出部が前記第２撮像領域に対応する画像を記録中の場合には、前記画像記録範囲抽出部が前記第２撮像領域に対応する画像を記録していない場合における領域通知画像とは異なる領域通知画像を生成することもできる。
【００１５】
また、前記画像記録範囲抽出部は、前記ディスプレイの表示可能領域外に存在する前記第２撮像領域に、所定のメモ情報を合成して前記第２撮像領域に対応する画像を記録することもできる。
【００１６】
また、前記ディスプレイを一体として備え、前記表示制御部は、前記画像合成部により生成された表示画像を該ディスプレイに表示させることもできる。
【００１７】
また、前記表示制御部は、外部接続される所定の外部機器が備えるディスプレイに、前記画像合成部により生成された表示画像を表示させることもできる
【００１８】
また、上記課題を解決するために、本発明の別の観点によれば、撮像対象となる被写体の映像から、所定の第１のアスペクト比で構成される第１撮像領域に対応する画像と、前記第１のアスペクト比とは異なる所定の第２のアスペクト比で構成される第２撮像領域に対応する画像と、を表示するディスプレイの表示可能領域のアスペクト比で構成される画像を、前記第１撮像領域が最大限に表示される範囲で抽出する画像表示範囲抽出ステップと、前記第２撮像領域が前記画像表示範囲抽出ステップにより抽出された画像の領域外に存在する場合に、前記第２撮像領域が前記ディスプレイの表示可能領域外に存在することを示す領域通知画像を生成する領域通知画像生成ステップと、前記画像表示範囲抽出ステップにより抽出された画像に、前記領域通知画像生成ステップにより生成された領域通知画像を合成して表示画像を生成する画像合成ステップと、前記画像合成ステップにより生成された表示画像を前記ディスプレイに表示させる表示制御ステップと、を含む撮像領域表示方法が提供される。
【００１９】
また、上記課題を解決するために、本発明の別の観点によれば、撮像対象となる被写体の映像から、所定の第１のアスペクト比で構成される第１撮像領域に対応する画像と、前記第１のアスペクト比とは異なる所定の第２のアスペクト比で構成される第２撮像領域に対応する画像と、を表示するディスプレイの表示可能領域のアスペクト比で構成される画像を、前記第１撮像領域が最大限に表示される範囲で抽出する画像表示範囲抽出処理と、前記第２撮像領域が前記画像表示範囲抽出処理により抽出された画像の領域外に存在する場合に、前記第２撮像領域が前記ディスプレイの表示可能領域外に存在することを示す領域通知画像を生成する領域通知画像生成処理と、前記画像表示範囲抽出処理により抽出された画像に、前記領域通知画像生成処理により生成された領域通知画像を合成して表示画像を生成する画像合成処理と、前記画像合成処理により生成された表示画像を前記ディスプレイに表示させる表示制御処理と、をコンピュータに実行させる撮像領域表示プログラムが提供される。
【発明の効果】
【００２０】
以上説明したように本発明によれば、複数のアスペクト比の画像を同時撮影する際のユーザビリティを高めることが可能である。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、説明は以下の順序で行うものとする。
１．本発明の実施形態の概要
２．実施形態の１つに係る撮像装置１００の機能構成
３．フレームモードの種類
４．撮影領域の表示処理フロー
５．画像データ記録時の撮影領域の表示処理フロー
６．撮像装置１００による同時撮影の利用例
７．撮像装置１００のハードウェア構成
８．まとめ
【００２２】
（１．本発明の実施形態の概要）
本発明の実施形態の１つに係る撮像装置１００の詳細を説明するにあたり、まず従来技術と比較しながら本実施形態の概要について説明する。
【００２３】
上述したように、従来のデジタルスチルカメラ、デジタルビデオカメラなどの撮像装置には、例えば、４：３や１６：９といった複数のアスペクト比の画像を同時に撮影する機能を備えていることがある。このように、複数のアスペクト比の画像を同時に撮影可能な機能を備える場合には、ディスプレイなどを介して複数のアスペクト比に対応する適切な撮影領域をユーザに示す必要がある。
【００２４】
同時に複数の撮影領域をユーザに示す方法としては、上述した特許文献１に記載の技術が知られている。特許文献１においては、同時に撮影する画像のアスペクト比に応じて、各アスペクト比に対応するガイドフレームを動的に切り替えて、液晶ディスプレイなどの表示器に表示させる技術が記載されている。
【００２５】
図１４は、特許文献１に記載の技術を利用した撮像装置において、複数のアスペクト比に対応する撮影領域を表示する表示器の表示例を示す説明図である。ここで、図１４に示す例は、ユーザが１６：９のアスペクト比の動画を撮影しながら、当該動画よりも画像サイズの大きい４：３のアスペクト比の静止画を同時に撮影する場合の表示例である。図１４に示すように、表示器の表示可能領域１０には、撮影用の撮像素子などにより捉えられた被写体の映像（以下、スルー画像という）が画像表示領域に表示される。また、表示器の表示可能領域１０には、１６：９のアスペクト比の動画の撮影領域を表す動画ガイドフレーム１４が破線で表示されている。さらに、表示器の表示可能領域１０には、４：３のアスペクト比の静止画の撮影領域を表す静止画ガイドフレーム１２が実線で表示されている。これにより、ユーザは、表示器を見ることにより、１６：９の動画および４：３の静止画がどのような範囲で記録されるかを視覚的に認識することができる。
【００２６】
図１５は、特許文献１に記載の技術を利用した撮像装置において、１６：９のアスペクト比の表示可能領域１０を有する表示器に表示させる、複数のアスペクト比に対応する撮影領域のガイドフレームの組み合わせ例を示す説明図である。図１５を参照すると、４：３または１６：９のアスペクト比の動画を撮影しながら４：３または１６：９のアスペクト比の静止画を同時に撮影する場合における、両アスペクト比の撮影領域のガイドフレームの表示例が示されている。
【００２７】
例えば、図１５の（ａ）には、１６：９のアスペクト比の動画を撮影しながら、当該動画よりも画像サイズの大きい１６：９のアスペクト比の静止画を同時に撮影する場合のガイドフレームの表示例が示されている。また、図１５の（ｂ）には、１６：９の動画と４：３の静止画のように異なるアスペクト比の画像を同時に撮影する場合の表示器の表示例が示されている。同様に、図１５の（ｃ）は４：３の動画と１６：９の静止画、（ｄ）は４：３の動画と４：３の静止画を同時に撮影する場合のガイドフレームの表示例が示されている。これによりユーザは、表示器に表示されたガイドフレームを見ることで、動画および静止画がどのような範囲で記録されるかを確認しながら、動画および静止画を同時に撮影することができる。
【００２８】
しかし、特許文献１に記載の技術を利用した撮像装置では、表示器に複数の撮影領域に対応するガイドフレームが表示されるため、少なくとも１のガイドフレームは必ず表示器の表示可能領域１０よりも小さい範囲で表示されることとなる。この結果、表示器の表示器の表示可能領域１０と比較して実際に記録される撮影領域を示すガイドフレームが小さいため、ユーザビリティが悪いという問題があった。
【００２９】
このような問題は、例えば、複数のアスペクト比の画像を撮影する場合において、１のアスペクト比の画像を主として撮影し、他のアスペクト比の画像を参考として撮影する場合などに特に顕著となる問題である。すなわち、表示器には、主として撮影するアスペクト比の画像に対応するガイドフレームと、参考として撮影するアスペクト比の画像に対応するガイドフレームと、が同時に表示される。したがって、例えば、参考として撮影するアスペクト比の画像が、主として撮影するアスペクト比の画像よりも大きい場合、主として撮影するアスペクト比の画像に対応するガイドフレームが表示器の表示可能領域１０において小さく表示されてしまう。この結果、ユーザは、小さく表示されたガイドフレーム内の画像を見て、フレーミング、フォーカシングなどの調整・操作をして主となるアスペクト比の画像を撮影する必要があり、ユーザビリティに優れていないという問題が発生する。
【００３０】
この問題点について、ユーザが、１６：９のアスペクト比の動画を主として撮影しながら、当該動画よりも画像サイズの大きい４：３のアスペクト比の静止画を参考画像として同時に撮影する場合を例に以下説明する。図１６は、従来の撮像装置において、１６：９のアスペクト比の動画撮影と、当該動画よりも画像サイズの大きい４：３のアスペクト比の静止画撮影と、を同時に撮影する場合の表示器の表示例を示す説明図である。
【００３１】
図１６に示すように、１６：９のアスペクト比の表示サイズに対応する表示器には、より大きな画像サイズの４：３の静止画の撮影領域を最大限に表示するスルー画像が表示されている。さらに、当該スルー画像の中には、１６：９の動画撮影領域に対応する動画ガイドフレーム１４が表示されている。この結果、ユーザは、４：３のアスペクト比の参考画像を撮影する際に、表示器に表示されている画像を見て撮影することができる。また、ユーザは、主として撮影を希望する１６：９の動画については、表示器に表示されている動画ガイドフレーム１４を参考にしてフレーミング、フォーカシングなどの調整・操作を行って撮影することができる。なお、図１６に示す例では、説明の便宜上４：３の撮影領域外についてはスルー画像を表示させていないが、表示器の表示可能領域１０全体にスルー画像が表示され、スルー画像の中に静止画ガイドフレーム１２が表示されることもある。
【００３２】
しかしながら、表示器には、主として撮影する１６：９の動画撮影領域に対応する動画ガイドフレーム１４は、参考として撮影する４：３の静止画撮影領域よりも小さく表示されている。すなわち、ユーザが実際に詳細な撮影状況を確認したい１６：９の動画撮影領域に対応する動画ガイドフレーム１４が、表示器の表示可能領域１０内で小さく表示されることとなる。この結果、ユーザは、１６：９の動画撮影時には、より細かくフレーミングやフォーカシング等の調整・操作を行いたいにも関わらず、動画ガイドフレーム１４が表示器の表示可能領域１０に大きく表示されないため、ユーザビリティが悪いという問題があった。
【００３３】
このような問題に対しては、例えば、図１７に示すように、単純に主として撮影する１６：９のアスペクト比の動画撮影領域３０を表示器の表示可能領域１０に最大限に表示させることも考えられる。しかしながら、このような場合、参考として撮影する４：３のアスペクト比の静止画撮影領域３２が表示器の表示可能領域１０には一切表示されないこととなる。この結果、ユーザは、表示器に表示されているスルー画像を見ても、４：３のアスペクト比の静止画がどのように記録されるのかを一切認識することができず、ユーザビリティを改善することはできない。
【００３４】
本発明の実施形態の１つに係る撮像装置１００は、以上のような従来の撮像装置の問題点を解決するものである。
【００３５】
具体的には、撮像装置１００は、主として撮影するアスペクト比の画像（以下、メイン画像という）の撮影領域（以下、メイン画像撮影領域という）を表示器の表示可能領域に最大限に表示させる。さらに撮像装置１００は、メイン画像のアスペクト比とは異なるアスペクト比の画像（以下、サブ画像という）の撮影領域（以下、サブ画像撮影領域という）の大きさに応じて、サブ画像撮影領域の表示器への表示切替えを制御する。具体的には、撮像装置１００は、サブ画像撮影領域の大きさに応じて、サブ画像撮影領域の境界や位置をユーザに認識させることが可能な領域通知画像（アイコン、ガイドフレーム等）を表示器に表示させる。撮像装置１００は、サブ画像のサイズやアスペクト比などに応じて、サブ画像撮影領域に対応する領域通知画像を適宜更新することができる。
【００３６】
この結果、ユーザは、主として撮影を希望するメイン画像については、常に表示器の表示可能領域に最大限に表示されたメイン画像撮影領域の画像を参考にして、フレーミングやフォーカシングといった調整・操作を行いながら撮影を実行することができる。また、参考として撮影するサブ画像については、サブ画像撮影領域の大きさに応じて適切なガイドフレームやアイコンが表示されるため、適宜サブ画像撮影領域を確認しながら撮影を実行することもできる。
【００３７】
このように、本実施形態に係る撮像装置１００は、複数のアスペクト比の画像を同時に撮影する場合に、ユーザビリティの高い表示方法で、それぞれの撮影領域を表示器に表示させることができる。
【００３８】
以下、このような特徴を有する本発明の実施形態の１つに係る撮像装置１００の詳細について説明する。なお、以下の説明においては、撮像装置１００によりユーザが所定の被写体を記録することを説明の便宜上「撮影」と表現するが、被写体の映像をそのまま記録する「撮像」の意味も含むものである。
【００３９】
（２．実施形態の１つに係る撮像装置１００の機能構成）
まず、本発明の実施形態の１つに係る撮像装置１００の機能構成について説明する。図１は、本実施形態に係る撮像装置１００の機能構成の一例を示すブロック図である。
【００４０】
図１に示すように、撮像装置１００は主に、画像入力部１０２と、画像表示範囲抽出部１０４と、領域通知画像生成部１０６と、画像合成部１０８と、表示制御部１１０と、表示部１１２と、画像記録範囲抽出部１１４と、記憶部１１５と、操作入力部１２０と、を含んで構成される。また撮像装置１００を構成するこれらの各機能構成部は、制御部１２２によって制御されることにより各種機能を実行する。以下、本実施形態に係る撮像装置１００を構成するこれらの機能構成部の詳細について説明する。
【００４１】
（画像入力部１０２）
画像入力部１０２には、撮影レンズや撮像素子などを介して被写体の画像データが連続的に入力される。撮影レンズは、被写体を結像するためのものであり、ズーム機能を実現するためのズームレンズや、被写体に合焦させるためのフォーカスレンズなどから構成される。撮像素子は、ＣＣＤ（Ｃｈａｒｇｅ  Ｃｏｕｐｌｅｄ  Ｄｅｖｉｃｅ）やＣＭＯＳ （Ｃｏｍｐｌｅｍｅｎｔａｒｙ  Ｍｅｔａｌ  Ｏｘｉｄｅ  Ｓｅｍｉｃｏｎｄｕｃｔｏｒ）などから構成される。撮像素子は、撮影レンズにより結像された被写体像を電気信号に変換して、アナログの画像データを生成する。その後、撮像素子からの出力された画像データは、ゲイン調整やＡ／Ｄ（Ａｎａｌｏｇｕｅ／Ｄｉｇｉｔａｌ）変換された後、画像入力部１０２に入力される。
【００４２】
このようにして画像入力部１０２に入力される画像データは、後述する画像表示範囲抽出部１０４などへ転送されて所定の処理が施された後、表示部１１２に表示される。また、ユーザが画像データの記録を指示した場合には、画像入力部１０２に入力された画像データは、後述する画像記録範囲抽出部１１４へ転送された後に、所定のモード（画質、アスペクト比等）により記憶部１１５に記録される。
【００４３】
（画像表示範囲抽出部１０４）
画像表示範囲抽出部１０４は、画像入力部１０２から転送された画像データのうち、表示部１１２に表示させる領域の画像のみを抽出する。画像表示範囲抽出部１０４は、表示部１１２の表示性能、ユーザによって設定されたアスペクト比、画像サイズ、撮影モードなどに基づく制御部１２２からの指示に応じて画像領域を抽出することができる。画像表示範囲抽出部１０４により抽出された画像は、後述する画像合成部１０８へ転送されて、ガイドフレームやアイコンなどを含む領域通知画像と合成された後、表示部１１２に表示される。なお、画像表示範囲抽出部１０４による画像抽出の例については、後述する処理フローおよび表示例において説明する。
【００４４】
（領域通知画像生成部１０６）
領域通知画像生成部１０６は、表示部１１２に表示される画像のうち、撮影可能な領域を表すガイドフレーム１３２や、表示部１１２の表示可能領域外に存在する撮影領域を表す領域通知アイコン１３０を含む領域通知画像を生成する。ユーザが撮影を希望する画像サイズやアスペクト比によっては、必ずしも表示部１１２に表示される画像と、撮影可能な領域が一致するとは限らない。したがって、撮像装置１００は、ユーザが撮影領域を確認するために見る表示部１１２の画像に、撮影可能な領域を示す必要がある。領域通知画像生成部１０６は、表示部１１２に表示される画像のうち、撮影により記録可能な領域をユーザに示すために、撮影領域を表すガイドフレーム１３２を生成する。領域通知画像生成部１０６は、例えば、ユーザによって設定されたアスペクト比、画像サイズ、撮影モードなどに基づく制御部１２２からの指示に応じてガイドフレーム１３２を生成することができる。
【００４５】
また、上述したように、撮像装置１００は、複数のアスペクト比の画像を同時に撮影することもできる。このような場合、一方のアスペクト比の画像の撮影可能な領域を表示部１１２の表示可能領域に最大限に表示させた場合、他方のアスペクト比の画像の撮影可能な領域が表示部１１２に表示される画像よりも大きくなってしまうこともある。この結果、ユーザは、表示部１１２に表示された画像を見ても他方のアスペクト比の画像の撮影領域を一切把握することができない。そこで、領域通知画像生成部１０６は、表示部１１２に表示される画像領域（表示可能領域）よりも広い範囲に撮影可能領域が存在する場合には、撮影可能領域が表示部１１２の表示可能領域外に存在していることを示す領域通知アイコン１３０を生成する。領域通知画像生成部１０６は、例えば、ユーザによって設定されたアスペクト比、画像サイズ、撮影モードなどに基づく制御部１２２からの指示に応じて領域通知アイコン１３０を生成することができる。
【００４６】
領域通知画像生成部１０６によって生成されたガイドフレーム１３２や領域通知アイコンを含む領域通知画像は、後述する画像合成部１０８へ転送されて、画像表示範囲抽出部１０４によって抽出された画像と合成された後、表示部１１２に表示される。なお、領域通知画像生成部１０６によって生成されるガイドフレーム１３２や領域通知アイコン１３０の例については、後述する処理フローおよび表示例において説明する。
【００４７】
（画像合成部１０８）
画像合成部１０８は、画像表示範囲抽出部１０４によって抽出された画像データに、領域通知画像生成部１０６によって生成された領域通知画像を合成し、表示部１１２に表示させる画像データを生成する。画像合成部１０８によって生成された画像データは、後述する表示制御部１１０へ転送された後、表示部１１２に表示される。
【００４８】
（表示制御部１１０）
表示制御部１１０は、表示部１１２の表示を制御する。表示制御部１１０は、例えば、メニュー画面表示、詳細設定画面表示、画像編集画面表示、撮影画面表示、メッセージ表示など、表示部１１２への種々の表示を制御する。例えば、ユーザが操作入力部１２０を介してメニュー画面の表示を指示した場合、表示制御部１１０は、所定のメニュー画面を表示部１１２に表示させる。この結果、ユーザは、表示部１１２に表示されたメニュー画面を見ながら、初期設定、撮影モードの選択、画質設定、画像サイズ設定、アスペクト比設定、表示設定、画像編集などの種々の設定に関する操作を行うことができる。このようなユーザの操作に応じて、表示制御部１１０は、表示部１１２に表示されるメニュー画面を適宜変更することができる。
【００４９】
また、例えば、ユーザが操作入力部１２０を介して画像の撮影モードへの切り替えを指示した場合、表示制御部１１０は、画像合成部１０８によって生成された画像データを表示部１１２に表示させる。この結果、ユーザは、表示部１１２に表示されたガイドフレーム１３２や領域通知アイコン１３０などを見て、撮影可能な領域を確認しながら撮影を実行することができる。
【００５０】
表示制御部１１０は、操作入力部１２０から入力されたユーザの指示や、ＲＯＭ（Ｒｅａｄ  Ｏｎｌｙ  Ｍｅｍｏｌｙ）などに格納されている設定情報などに基づく制御部１２２からの指示に応じて表示部１１２への表示を制御することができる。なお、画像撮影モードにおける、表示制御部１１０による表示部１１２の表示制御の例については、後述する処理フローおよび表示例において説明する。
【００５１】
また、表示制御部１１０は、上述した以外にも表示部１１２の表示制御に関する各種機能を追加的に備えることもできる。例えば、表示制御部１１０は、画像合成部１０８によって生成された画像データを、表示部１１２の表示性能に適合するような画像ファイルに圧縮したり、表示部１１２の表示形式に適合するような画像フォーマットに変換したりすることなども当然に可能である。このように、表示制御部１１０は、表示部１１２への種々の表示を制御するものであるが、本実施形態に係る撮像装置１００は、画像撮影モード時における表示部１１２の表示方法に特徴を有するものであるため、以下の説明においてはこの点を中心に説明する。
【００５２】
（表示部１１２）
表示部１１２は、例えば、ＬＣＤ（Ｌｉｑｕｉｄ  Ｃｒｙｓｔａｌ  Ｄｉｓｐｌａｙ；液晶ディスプレイ）や有機ＥＬ（ＥｌｅｃｔｒｏＬｕｍｉｎｅｓｃｅｎｃｅ  ｄｉｓｐｌａｙ）ディスプレイなどからなり、撮像装置１００上に備えられる。表示部１１２には、上述した画像合成部１０８により生成された画像、すなわち、画像表示範囲抽出部１０４により抽出された画像に、領域通知画像生成部１０６により生成された領域通知画像が合成された画像が表示されることとなる。また、表示部１１２は、記憶部１１５に記録されている画像データや、ユーザに対する通知メッセージ（例えば、撮影モード、空き容量通知、エラー通知）、詳細設定画面などを表示することもできる。表示部１１２を構成するディスプレイは、例えば、１６：９、４：３などのアスペクト比の表示可能領域を有するものであるが、特定のアスペクト比に限定されるものではない。
【００５３】
なお、表示部１１２は、必ずしも撮像装置１００上に備えられる必要はない。表示部１１２は、例えば、撮像装置１００と接続される（無線・有線問わず）外部装置に備えられてもよい。この場合、画像合成部１０８により生成された画像は、表示制御部１１０により外部機器が備える表示部１１２に転送される。この結果、ユーザは、外部装置が備える表示部１１２に表示される画像を見ながら撮像装置１００の撮像機能を実行することもできる。
【００５４】
（画像記録範囲抽出部１１４）
画像記録範囲抽出部１１４は、画像入力部１０２に入力された画像データのうち、録画可能な領域の画像のみを抽出する。例えば、ユーザが操作入力部１２０を介して動画の撮影開始を指示した場合、画像記録範囲抽出部１１４は、画像入力部１０２に入力された画像データから撮影領域の画像データのみを連続的に抽出し、所定の形式の動画ストリームとして記憶部１１５に記録する。このとき、画像記録範囲抽出部１１４は、ユーザにより指定された画像サイズやアスペクト比、または撮影モードに応じて自動的に決定される画像サイズやアスペクト比などに基づいて、画像データを抽出することができる。
【００５５】
また、例えば、ユーザが操作入力部１２０を介して静止画の撮影を指示した場合、画像記録範囲抽出部１１４は、画像入力部１０２に入力された１フレーム分の画像データから撮影領域の画像データのみを抽出し、静止画ファイルとして記憶部１１５に記録する。このとき、画像記録範囲抽出部１１４は、ユーザにより指定された画像サイズやアスペクト比、または撮影モードに応じて自動的に決定される画像サイズやアスペクト比などに基づいて、画像データを抽出することができる。
【００５６】
また、上述したように、撮像装置１００は、複数のアスペクト比の画像を同時に記録することもできる。したがって、ユーザが複数のアスペクト比の画像の撮影開始を指示した場合、画像記録範囲抽出部１１４は、画像入力部１０２に入力された画像データから、それぞれのアスペクト比に対応する撮影領域の画像データを抽出することもできる。例えば、ユーザが１６：９のアスペクト比に対応する動画の撮影中に、４：３のアスペクト比に対応する静止画の撮影を指示した場合を仮定する。この場合、画像記録範囲抽出部１１４は、画像入力部１０２に入力された画像データから１６：９の撮影領域の画像データを連続的に抽出し、所定の形式の動画ストリームとして記憶部１１５に継続的に記録する。さらに、画像記録範囲抽出部１１４は、上記動画ストリームの記録と並行して、画像入力部１０２に入力された１フレーム分の画像データから４：３の撮影領域の画像データを抽出し、所定の形式の静止画ファイルとして記憶部１１５に記録する。この結果、撮像装置１００は、画像入力部１０２に入力された画像データに対して、１６：９のアスペクト比に対応する動画データを記録しながら、４：３のアスペクト比に対応する静止画を記録することができる。
【００５７】
このように、画像記録範囲抽出部１１４は、ユーザが撮影開始を指示した場合に、画像入力部１０２に入力された画像データから、撮影領域の画像データのみを抽出して記憶部１１５に記録する。画像記録範囲抽出部１１４は、例えば、ユーザによって設定されたアスペクト比、画像サイズ、撮影モードなどに基づく制御部１２２からの指示に応じて画像データを抽出することができる。なお、画像記録範囲抽出部１１４が抽出可能な画像は特定の画像サイズやアスペクト比に限定されるものではない。すなわち、本明細書におけるアスペクト比は本実施形態を説明する上での一例であり、画像記録範囲抽出部１１４は、ユーザや撮影モードなどによって設定される種々のアスペクト比の画像を抽出することができる。また、上記例では、動画撮影中に静止画を同時に撮影する場合を例に説明したが、本発明はこれに限定されるものではない。すなわち、撮像装置１００は、あるアスペクト比の動画の記録中に異なるアスペクト比の動画を同時に記録したり、異なるアスペクト比の静止画を同時に記録したりすることもできる。なお、画像記録範囲抽出部１１４による画像データの抽出処理の流れについては、後述する処理フローにおいて説明する。
【００５８】
（記憶部１１５）
記憶部１１５は、画像記録範囲抽出部１１４によって抽出された画像データが記録される不揮発性の記憶領域として機能する。記憶部１１５は、例えば、ＨＤＤ等の磁気記憶部デバイス、半導体記憶デバイス、光記憶デバイス、または光磁気記憶デバイス等により構成され、複数の画像データを保存可能な不揮発性の記憶装置であれば特定の構成に限定されるものではない。また、記憶部１１５は、必ずしも撮像装置１００に内蔵されている必要はない。記憶部１１５は、例えば、撮像装置１００に備えられる記録媒体挿入部（図示せず）などに挿入された、メモリスティック（登録商標）やＳＤメモリーカードなどの記録媒体に備えられてもよい。
【００５９】
また、記憶部１１５は、図１に示すように、所定の録画形式に応じた画像データを記憶する複数の記憶領域によって構成されてもよい。図１に示す例では、記憶部１１５は、アスペクト比１６：９の画像データを記憶する第１記憶部１１６と、アスペクト比４：３の画像データを記憶する第２記憶部１１８と、を含んで構成されている。したがって、例えば、ユーザが操作入力部１２０を介して１６：９の画像データの撮影を指示した場合、撮影された１６：９の画像データが第１記憶部１１６に記録される。また、ユーザが操作入力部１２０を介して４：３の画像データの撮影を指示した場合、撮影された４：３の画像データは、第２記憶部１１８に記録される。ユーザは、第１記憶部１１６に記録されている１６：９の画像データや、第２記憶部１１８に記録されている４：３の画像データを、表示部１１２に表示させたり、撮像装置１００と接続される外部機器に転送したりすることができる。なお、図１に示した記憶部１１５の構成は、本実施形態を説明する上での一例であり、本発明はこれに限定されるものではない。すなわち、記憶部１１５は、１の記憶領域や、３以上の記憶領域から構成されてもよい。
【００６０】
（操作入力部１２０）
操作入力部１２０は、例えば、タッチパネル、ボタン、スイッチ、レバー、ダイヤルなどの操作部を含んで構成される。ユーザは、これらの操作部を操作することにより、撮像装置１００に対して処理動作（モード変更、アスペクト比設定、画質調整、撮影動作、ズーム・フォーカス・絞り・シャッタースピード変更、再生動作など）を指示することができる。操作入力部１２０は、操作部を介してユーザから受け付けた指示情報を制御部１２２へ伝送する。これを受けて、制御部１２２は、操作入力部１２０から伝送された指示情報に基づいて、撮像装置１００が備える各機能構成部を制御し、ユーザが所望する各種機能を実行する。
【００６１】
（制御部１２２）
制御部１２２は、撮像装置１００全体を制御する演算処理装置および制御装置であり、例えばＣＰＵ（Ｃｅｎｔｒａｌ  Ｐｒｏｃｅｓｓｉｎｇ  Ｕｎｉｔ）などである。制御部１２２は、操作入力部１２０からの指示に応じて、撮像装置１００の上述した各機能構成部に対して所定の処理の実行を指示する。なお、制御部１２２によって上述した各機能構成部が実行する処理の流れについては後述する。
【００６２】
以上、本実施形態に係る撮像装置１００の機能構成の一例について説明した。なお、図１に示した機能構成は、本実施形態の特徴である撮影領域の表示を実現するための機能を中心に示したものであり、これらに限定されるものではない。例えば、撮像装置１００は、図１に示した機能構成部の他に、音声入出力機能、通信機能、画像編集機能、画像再生機能などのように、通常の撮像装置に備えられる各種機能を追加的に備えてもよい。
【００６３】
（２．フレームモードの種類）
上述したように、本実施形態に係る撮像装置１００は、複数のアスペクト比の画像データを同時に記録することができる。また、複数のアスペクト比の画像データを同時に記録する際には、表示部１１２には、それぞれのアスペクト比の撮影可能領域を示すガイドフレーム１３２や領域通知アイコン１３０などが表示される。したがって、同時に記録する画像のアスペクト比や画像サイズなどによって、表示部１１２に表示されるガイドフレーム１３２や領域通知アイコン１３０などは異なってくる。本実施形態に係る撮像装置１００は、同時に記録する画像のアスペクト比や画像サイズなどに応じた表示部１１２の表示モード（以下、フレームモードという）を、ＲＯＭなどの不揮発性の記憶領域にあらかじめ登録しておくことができる。ユーザは、表示部１１２に表示されるメニュー画面などを参照し、操作入力部１２０を介して、任意のフレームモードを選択することができる。
【００６４】
図２は、ユーザが任意に選択可能なフレームモードの種類の一例を示す説明図である。なお、図２に示した６つのフレームモードは、本実施形態を説明する上での一例であり、本発明はこれらに限定されるものではない。すなわち、図２に示した例とは異なるアスペクト比、表示部１１２の種類、フレームモード数であってもよい。以下、図２に示したフレームモードの例について説明する。
【００６５】
図２に示すように、フレームモードＮｏ．１〜３は、１６：９のアスペクト比の表示可能領域を有する表示部１１２に対応するフレームモードである。また、フレームモードＮｏ．４〜６は、４：３のアスペクト比の表示可能領域を有する表示部１１２に対応するフレームモードである。このように、撮像装置１００は、複数のアスペクト比の表示可能領域を有する表示部１１２に対応するフレームモードを有することもできる。これにより、表示部１１２として機能するディスプレイが撮像装置１００と接続される外部機器に備えられる場合においても、ユーザは、表示部１１２の表示可能領域のアスペクト比に応じて適切なフレームモードを選択することができる。
【００６６】
フレームモードＮｏ．１〜３は、メイン画像として１６：９のアスペクト比の画像を記録し、サブ画像として４：３のアスペクト比の画像を記録する場合のフレームモードである。図２に示すように、フレームモードＮｏ．１〜３では、１６：９のアスペクト比の表示部１１２に１６：９のアスペクト比のメイン画像を表示させるため、表示部１１２の表示可能領域にはメイン画像撮影領域が最大限に表示される。
【００６７】
一方、サブ画像撮影領域については、４：３のアスペクト比の画像サイズによって異なる。例えば、フレームモードＮｏ．１は、サブ画像とメイン画像の横方向の画像サイズを統一して記録する場合に対応している。すなわち、サブ画像撮影領域の横方向の境界は、表示部１１２の表示可能領域内に最大限に表示され、サブ画像撮影領域の縦方向の境界は、表示部１１２の表示可能領域外に存在することとなる。また、フレームモードＮｏ．２は、サブ画像とメイン画像の画像サイズが横方向および縦方向共に異なる場合に対応している。すなわち、サブ画像撮影領域の縦方向の境界は、表示部１１２の表示可能領域外に存在し、サブ画像撮影領域の横方向の境界は、表示部１１２の表示可能領域内に存在することとなる。また、フレームモードＮｏ．３は、サブ画像とメイン画像の縦方向の画像サイズを統一して記録する場合に対応している。すなわち、サブ画像撮影領域の縦方向の境界は、表示部１１２の表示可能領域内に最大限に表示され、サブ画像撮影領域の横方向の境界は、表示部１１２の表示可能領域内に存在することとなる。
【００６８】
また、フレームモードＮｏ．４〜５は、メイン画像として４：３のアスペクト比の画像を記録し、サブ画像として１６：９のアスペクト比の画像を記録する場合のフレームモードである。図２に示すように、フレームモードＮｏ．４〜５では、４：３のアスペクト比の表示部１１２に４：３のアスペクト比のメイン画像を表示させるため、表示部１１２の表示可能領域にはメイン画像撮影領域が最大限に表示される。
【００６９】
一方、サブ画像撮影領域については、１６：９のアスペクト比の画像サイズによって異なる。例えば、フレームモードＮｏ．４は、サブ画像とメイン画像の縦方向の画像サイズを統一して記録する場合に対応している。すなわち、サブ画像撮影領域の縦方向の境界は、表示部１１２の表示可能領域内に最大限に表示され、サブ画像撮影領域の横方向の境界は、表示部１１２の表示可能領域外に存在することとなる。また、フレームモードＮｏ．５は、サブ画像とメイン画像の画像サイズが横方向および縦方向共に異なる場合に対応している。すなわち、サブ画像撮影領域の横方向の境界は、表示部１１２の表示可能領域外に存在し、サブ画像撮影領域の縦方向の境界は、表示部１１２の表示可能領域内に存在することとなる。
【００７０】
また、フレームモードＮｏ．６は、メイン画像として１６：９のアスペクト比の画像を記録し、サブ画像として４：３のアスペクト比の画像を記録する場合のフレームモードである。図２に示すように、フレームモードＮｏ．６では、あくまでメイン画像は１６：９のアスペクト比の画像であるため、４：３のアスペクト比の表示部１１２の表示可能領域に１６：９のアスペクト比のメイン画像撮影領域が最大限に表示される。
【００７１】
一方、サブ画像撮影領域については、４：３のアスペクト比の画像サイズによって異なるが、図２に示す例では、サブ画像とメイン画像の横方向の画像サイズを統一して記録する場合に対応している。すなわち、サブ画像撮影領域は表示部１１２の表示可能領域と一致するため、表示部１１２の表示可能領域に最大限に表示されることとなる。
【００７２】
ユーザは、複数のアスペクト比の画像を同時に撮影する場合において、あらかじめ設定された複数のフレームモードの中から任意のフレームモードを、操作入力部１２０を介して選択することができる。制御部１２２は、ユーザにより選択されたフレームモードに基づいて、画像表示範囲抽出部１０４に対して適切な範囲の画像抽出を指示し、領域通知画像生成部１０６に対して適切なガイドフレーム１３２や領域通知アイコン１３０の生成を指示することができる。なお、サブ画像撮影領域を示すガイドフレーム１３２や領域通知アイコン１３０の表示例については後述する。
【００７３】
ここで、本実施形態におけるフレームモードは、必ずしもユーザによる操作により選択されるものではない。例えば、撮像装置１００は、撮影モードやズーム機能などに連動して自動的にフレームモードを切り替えることもできる。例えば、ユーザは、動画または静止画を撮影する際に、撮像装置１００が有するＨＤモード、ＳＤモード、パノラマモード、シネマモードなどの種々の撮影モード機能を選択して撮影することができる。また、撮影中にデジタルズーム機能などを利用することにより、撮影する画像サイズを任意に変更することもできる。したがって、撮像装置１００は、各撮影モードに対応するフレームモードをあらかじめ登録しておくことにより、ユーザが所定の撮影モードを選択した際に、選択された撮影モードに対応するフレームモードに自動で切り替えることができる。また、ユーザが撮影中にズーム機能を利用した場合、変更された画像サイズに応じてフレームモードを適宜変更することもできる。
【００７４】
図２に示したフレームモードを例に説明すると、例えば、１６：９のＨＤ動画を撮影しながら、参考データとして、１６：９の撮影領域から外れた領域に文字列などを含めて４：３の静止画を同時に記録する場合などが想定される。したがって、１６：９のＨＤ動画を撮影中に４：３の静止画を同時撮影する撮影モードが選択された場合、撮像装置１００は、フレームモードＮｏ．１に自動で切り替えてもよい。また、フレームモードＮｏ．１で１６：９のＨＤ動画と４：３の静止画を同時に撮影する際に、４：３の静止画の画像サイズがズーム機能などにより変更された場合、撮像装置１００は、フレームモードをフレームモードＮｏ．２、３などに自動で切り替えてもよい。
【００７５】
また、４：３のＳＤ動画を撮影しながら、参考画像として１６：９のパノラマ静止画を同時に撮影する場合なども想定される。したがって、４：３のＳＤ動画を撮影中に１６：９のパノラマ静止画を同時撮影する撮影モードが選択された場合、撮像装置１００は、フレームモードをフレームモードＮｏ．４に自動で切り替えてもよい。また、フレームモードＮｏ．４で４：３のＳＤ動画と１６：９の静止画を同時に撮影する際に、１６：９の静止画の画像サイズがズーム機能などにより変更された場合、撮像装置１００は、フレームモードをフレームモードＮｏ．５に自動で切り替えてもよい。
【００７６】
また、４：３の表示部１１２を利用する場合においても、ユーザがメイン画像として１６：９のパノラマ画像の撮影モードを選択する場合も想定される。このような撮影モードがユーザにより選択された場合、撮像装置１００は、フレームモードをフレームモードＮｏ．６に自動で切り替えてもよい。
【００７７】
このように、本実施形態に係る撮像装置１００は、撮影モードやズーム機能と連動してフレームモードを自動で変更することができる。制御部１２２は、このようにして自動で変更されたフレームモードに基づいて、画像表示範囲抽出部１０４により抽出される画像の範囲や、領域通知画像生成部１０６により生成される領域通知画像の変更を適宜指示することができる。この結果、ユーザが希望する撮影モードを選択すれば自動で適切なフレームモードが選択されるため、ユーザは、撮影モードの選択後にフレームモードを毎回指定するといった煩雑な操作が必要ない。
【００７８】
なお、上述した撮影モードや、当該撮影モードに対応するフレームモードの種類は本実施形態を説明する上での一例であり、本発明はこれらに限定されるものではない。すなわち、撮像装置１００は、所定の撮影モードに応じた所定のフレームモードをあらかじめ登録しておくことができ、撮影モードの種類や、対応するフレームモードの種類、組み合わせなどは任意に変更することができるものである。
【００７９】
（４．撮影領域の表示処理フロー）
次に、上記のように構成される撮像装置１００が、複数のアスペクト比の画像を同時に記録する際に、図２に示した各フレームモードに基づいて、各画像の撮影領域を表示部１１２に表示させる処理の流れの一例について説明する。図３は、本実施形態に係る撮像装置１００が、複数のアスペクト比の画像を同時に記録する際に、各画像の撮影領域を表示部１１２の表示可能領域に表示させる処理の流れの一例を示す説明図である。
【００８０】
図３に示すように、ステップ３００において、撮像装置１００の制御部１２２は、ユーザにより撮影モードの変更指示があったか否かを判断する。上述したように、本実施形態に係る撮像装置１００は、変更された撮影モードに対応するフレームモードが登録されている場合には、撮影モードの変更に連動してフレームモードを自動で切り替えることができる場合もある。したがって、制御部１２２は、撮影モードの変更指示の有無を判断する。なお、制御部１２２は、操作入力部１２０から伝送されたユーザ操作に関する情報に基づいて、ユーザが撮影モードの変更を指示したか否かを判断することができる。
【００８１】
ステップ３００により撮影モードの変更指示がないと判断された場合、ステップ３０２において、制御部１２２は、ユーザによりフレームモードの変更指示があったか否かを判断する。上述したように、ユーザは、あらかじめ撮像装置１００に登録されている複数のフレームモードから任意のフレームモードを選択することができる。したがって、制御部１２２は、フレームモードの変更指示の有無を判断し、フレームモードの変更指示があった場合には、選択されたフレームモードに対応した表示をするように各機能構成部に指示する。なお、制御部１２２は、操作入力部１２０から伝送されたユーザ操作に関する情報に基づいて、ユーザがフレームモードの変更を指示したか否かを判断することができる。
【００８２】
ステップ３０２によりフレームモードの変更指示があったと判断された場合、ステップ３０４において、制御部１２２は、変更されたフレームモードがフレームモードＮｏ．１であるか否かを判断する。
【００８３】
ステップ３０４によりフレームモードＮｏ．１に変更されたと判断された場合、ステップ３０６において、制御部１２２は、各機能構成部にフレームモードＮｏ．１に対応した撮影領域の表示処理の実行を指示する。具体的には、画像表示範囲抽出部１０４は、制御部１２２からの指示に応じて、画像入力部１０２に入力された画像から、１６：９の表示部１１２に対応した画像を、メイン画像撮像領域が最大限に表示される範囲で抽出する。また、図２に示したように、フレームモードＮｏ．１に対応するサブ画像撮影領域の縦方向の境界は、表示部１１２の表示可能領域外に存在している。したがって、領域通知画像生成部１０６は、制御部１２２からの指示に応じて、４：３のサブ画像撮影領域が表示部１１２の表示可能領域外に存在していることをユーザに通知するための領域通知アイコン１３０を含む領域通知画像を生成する。さらに、画像合成部１０８は、画像表示範囲抽出部１０４によって抽出された画像と、領域通知画像生成部１０６によって生成された領域通知アイコン１３０を含む領域通知画像と、を合成した画像を生成する。
【００８４】
その後、ステップ３２６において、表示制御部１１０は、制御部１２２からの指示に応じて、画像合成部１０８によって生成された画像を表示部１１２に表示させる。図４は、フレームモードＮｏ．１に対応する表示部１１２の表示例を示す説明図である。図４に示すように、１６：９の表示可能領域を有する表示部１１２には、１６：９のアスペクト比のメイン画像撮影領域が最大限に表示されている。また、４：３のアスペクト比のサブ画像撮影領域の縦方向の境界は、表示部１１２の表示可能領域の上下方向にはみだして存在している。したがって、図４に示すように、表示部１１２の表示可能領域には、上下方向にサブ画像撮影領域が存在することをユーザに通知するための領域通知アイコン１３０が表示されている。この結果、ユーザは、表示部１１２に最大限に表示された画像に基づいてメイン画像の撮影を実行することができると同時に、表示部１１２の表示可能領域に表示されていないサブ画像撮影領域がどの位置に存在するかもあわせて認識することができる。なお、領域通知アイコン１３０は、表示部１１２の表示可能領域からはみ出した位置にサブ画像撮影領域が存在していることを表すため、図４に示したような方向性をユーザに認識させることが可能な形状であることが望ましい。
【００８５】
一方、ステップ３０４によりフレームモードＮｏ．１に変更されていないと判断された場合、ステップ３０８において、制御部１２２は、変更されたフレームモードがフレームモードＮｏ．２であるか否かを判断する。
【００８６】
ステップ３０８によりフレームモードＮｏ．２に変更されたと判断された場合、ステップ３１０において、制御部１２２は、各機能構成部にフレームモードＮｏ．２に対応した撮影領域の表示処理の実行を指示する。具体的には、画像表示範囲抽出部１０４は、制御部１２２からの指示に応じて、画像入力部１０２に入力された画像から、１６：９の表示部１１２に対応した画像を、メイン画像撮像領域が最大限に表示される範囲で抽出する。また、図２に示したように、フレームモードＮｏ．２に対応するサブ画像撮影領域の縦方向の境界は、表示部１１２の表示可能領域外に存在し、サブ画像撮影領域の横方向の境界は表示部１１２の表示可能領域内に存在している。したがって、領域通知画像生成部１０６は、制御部１２２からの指示に応じて領域通知画像を生成する。すなわち、領域通知画像生成部１０６は、４：３のサブ画像撮影領域が表示部１１２の表示可能領域の上下方向にはみ出して存在していることをユーザに通知するための領域通知アイコン１３０を生成する。さらに、領域通知画像生成部１０６は、制御部１２２からの指示に応じて、表示部１１２の表示可能領域におけるサブ画像撮影領域の横方向の境界をユーザに通知するためのガイドフレーム１３２を生成する。また、画像合成部１０８は、画像表示範囲抽出部１０４によって抽出された画像と、領域通知画像生成部１０６によって生成された領域通知アイコン１３０およびガイドフレーム１３２を含む領域通知画像と、を合成した画像を生成する。
【００８７】
その後、ステップ３２６において、表示制御部１１０は、制御部１２２からの指示に応じて、画像合成部１０８によって生成された画像を表示部１１２に表示させる。図５は、フレームモードＮｏ．２に対応する表示部１１２の表示例を示す説明図である。図５に示すように、１６：９の表示可能領域を有する表示部１１２には、１６：９のアスペクト比のメイン画像撮影領域が最大限に表示されている。また、４：３のアスペクト比のサブ画像撮影領域は、表示部１１２の表示可能領域の上下方向にはみだして存在している。したがって、図５に示すように、表示部１１２の表示可能領域には、上下方向にサブ画像撮影領域が存在することをユーザに通知するための領域通知アイコン１３０が表示されている。さらに、表示部１１２の表示可能領域には、サブ画像撮影領域の横方向の境界を表すガイドフレーム１３２が表示されている。この結果、ユーザは、表示部１１２の表示可能領域に最大限に表示された画像に基づいてメイン画像の撮影を実行することができる。また、ユーザは、表示部１１２の表示可能領域内に存在するサブ画像撮影領域の境界、および表示可能領域外に存在するサブ画像撮影領域がどの位置に存在するかもあわせて認識することができる。
【００８８】
一方、ステップ３０８によりフレームモードＮｏ．２に変更されていないと判断された場合、ステップ３１２において、制御部１２２は、変更されたフレームモードがフレームモードＮｏ．３であるか否かを判断する。
【００８９】
ステップ３１２によりフレームモードＮｏ．３に変更されたと判断された場合、ステップ３１４において、制御部１２２は、各機能構成部にフレームモードＮｏ．３に対応した撮影領域の表示処理の実行を指示する。具体的には、画像表示範囲抽出部１０４は、制御部１２２からの指示に応じて、画像入力部１０２に入力された画像から、１６：９の表示部１１２に対応した画像を、メイン画像撮像領域が最大限に表示される範囲で抽出する。また、図２に示したように、フレームモードＮｏ．３に対応するサブ画像撮影領域の横方向の境界は、表示部１１２の表示可能領域内に存在している。したがって、領域通知画像生成部１０６は、制御部１２２からの指示に応じて、表示部１１２の表示可能領域におけるサブ画像撮影領域の横方向の境界をユーザに通知するためのガイドフレーム１３２を含む領域通知画像を生成する。また、画像合成部１０８は、画像表示範囲抽出部１０４によって抽出された画像と、領域通知画像生成部１０６によって生成されたガイドフレーム１３２を含む領域通知画像と、を合成した画像を生成する。
【００９０】
その後、ステップ３２６において、表示制御部１１０は、制御部１２２からの指示に応じて、画像合成部１０８によって生成された画像を表示部１１２に表示させる。図６は、フレームモードＮｏ．３に対応する表示部１１２の表示例を示す説明図である。図６に示すように、１６：９の表示可能領域を有する表示部１１２には、１６：９のアスペクト比のメイン画像撮影領域が最大限に表示されている。また、４：３のアスペクト比のサブ画像撮影領域の横方向の境界は、表示部１１２の表示可能領域内に存在している。したがって、図６に示すように、表示部１１２の表示可能領域には、サブ画像撮影領域の横方向の境界を表すガイドフレーム１３２が表示されている。この結果、ユーザは、表示部１１２の表示可能領域内に最大限に表示された画像に基づいてメイン画像の撮影を実行することができると同時に、表示部１１２の表示可能領域内に存在するサブ画像撮影領域の境界もあわせて認識することができる。
【００９１】
また、撮像装置１００が備える表示部１１２の他に、撮像装置１００と接続される外部機器に４：３のディスプレイからなる表示部１１２が備えられている場合もある。このような場合、ユーザは、フレームモードＮｏ．４〜６を選択し、外部装置のディスプレイに撮影領域を表示させることもできる。したがって、ステップ３１２によりフレームモードＮｏ．３に変更されていないと判断された場合、ステップ３１６において、制御部１２２は、変更されたフレームモードがフレームモードＮｏ．４であるか否かを判断する。
【００９２】
ステップ３１６によりフレームモードＮｏ．４に変更されたと判断された場合、ステップ３１８において、制御部１２２は、各機能構成部にフレームモードＮｏ．４に対応した撮影領域の表示処理の実行を指示する。具体的には、画像表示範囲抽出部１０４は、制御部１２２からの指示に応じて、画像入力部１０２に入力された画像から、４：３の表示部１１２に対応した画像を、メイン画像撮像領域が最大限に表示される範囲で抽出する。また、図２に示したように、フレームモードＮｏ．４に対応するサブ画像撮影領域の横方向の境界は、表示部１１２の表示可能領域外に存在している。したがって、領域通知画像生成部１０６は、制御部１２２からの指示に応じて、１６：９のサブ画像撮影領域が表示部１１２の表示可能領域外に存在していることをユーザに通知するための領域通知アイコン１３０を含む領域通知画像を生成する。また、画像合成部１０８は、画像表示範囲抽出部１０４によって抽出された画像と、領域通知画像生成部１０６によって生成された領域通知アイコン１３０を含む領域通知画像と、を合成した画像を生成する。
【００９３】
その後、ステップ３２６において、表示制御部１１０は、制御部１２２からの指示に応じて、画像合成部１０８によって生成された画像を表示部１１２に表示させる。
【００９４】
一方、ステップ３１６によりフレームモードＮｏ．４に変更されていないと判断された場合、ステップ３２０において、制御部１２２は、変更されたフレームモードがフレームモードＮｏ．５であるか否かを判断する。
【００９５】
ステップ３２０によりフレームモードＮｏ．５に変更されたと判断された場合、ステップ３２２において、制御部１２２は、各機能構成部にフレームモードＮｏ．５に対応した撮影領域の表示処理の実行を指示する。具体的には、画像表示範囲抽出部１０４は、制御部１２２からの指示に応じて、画像入力部１０２に入力された画像から、４：３の表示部１１２に対応した画像を、メイン画像撮像領域が最大限に表示される範囲で抽出する。また、図２に示したように、フレームモードＮｏ．５に対応するサブ画像撮影領域の横方向の境界は、表示部１１２の表示可能領域外に存在し、サブ画像撮影領域の縦方向の境界は表示部１１２の表示可能領域内に存在している。したがって、領域通知画像生成部１０６は、制御部１２２からの指示に応じて領域通知画像を生成する。すなわち、領域通知画像生成部１０６は、１６：９のサブ画像撮影領域が表示部１１２の表示可能領域の左右方向にはみ出して存在していることをユーザに通知するための領域通知アイコン１３０を生成する。さらに、領域通知画像生成部１０６は、制御部１２２からの指示に応じて、表示部１１２の表示可能領域におけるサブ画像撮影領域の縦方向の境界をユーザに通知するためのガイドフレーム１３２を生成する。また、画像合成部１０８は、画像表示範囲抽出部１０４によって抽出された画像と、領域通知画像生成部１０６によって生成された領域通知アイコン１３０およびガイドフレーム１３２を含む領域通知画像と、を合成した画像を生成する。
【００９６】
その後、ステップ３２６において、表示制御部１１０は、制御部１２２からの指示に応じて、画像合成部１０８によって生成された画像を表示部１１２に表示させる。
【００９７】
一方、ステップ３２０によりフレームモードＮｏ．５に変更されていないと判断された場合、制御部１２２は、フレームモードがフレームモードＮｏ．６に変更されたと判断する。したがって、制御部１２２は、各機能構成部にフレームモードＮｏ．６に対応した撮影領域の表示処理の実行を指示する。具体的には、画像表示範囲抽出部１０４は、制御部１２２からの指示に応じて、画像入力部１０２に入力された画像から、４：３の表示部１１２に対応した画像を、メイン画像撮像領域が最大限に表示される範囲で抽出する。また、図２に示したように、フレームモードＮｏ．６に対応するサブ画像撮影領域は、表示部１１２の表示可能領域と一致している。したがって、サブ画像撮影領域に関しては領域通知アイコン１３０やガイドフレーム１３２を生成する必要はない。一方、メイン画像撮影領域については、４：３の表示部１１２に１６：９の画像を最大限に表示した場合には、メイン画像撮影領域の上下方向の境界が、表示部１１２の表示可能領域内に存在することとなる。したがって、領域通知画像生成部１０６は、制御部１２２からの指示に応じて、表示部１１２の表示可能領域におけるメイン画像撮影領域の縦方向の境界をユーザに通知するためのガイドフレーム１３２を含む領域通知画像を生成する。また、画像合成部１０８は、画像表示範囲抽出部１０４によって抽出された画像と、領域通知画像生成部１０６によって生成されたガイドフレーム１３２を含む領域通知画像と、を合成した画像を生成する。
【００９８】
その後、ステップ３２６において、表示制御部１１０は、制御部１２２からの指示に応じて、画像合成部１０８によって生成された画像を表示部１１２に表示させる。
【００９９】
以上の各ステップにより、ユーザが複数のアスペクト比の画像を同時に撮影する際に、メイン画像撮影領域を表示部１１２に最大限に表示し、サブ画像撮影領域を設定されたフレームモードに応じて表示部１１２に表示させることができる。
【０１００】
ここで、ステップ３００により撮影モードが変更されたと判断された場合、制御部１２２は、ステップ３２８において、変更された撮影モードに対応するフレームモードが登録されているか否かを判断する。
【０１０１】
ステップ３２８により対応するフレームモードが登録されていないと判断された場合、制御部１２２は、上述したステップ３０６以降のステップにより、現在設定されているフレームモードに対応する表示処理の実行を各機能構成部に指示する。
【０１０２】
一方、ステップ３２８により対応するフレームモードが登録されていると判断された場合、制御部１２２は、ステップ３３０において、変更された撮影モードに対応するフレームモードに対応した撮影領域の表示処理の実行を各機能構成部に指示する。これを受けて、画像表示範囲抽出部１０４、領域通知画像生成部１０６、画像合成部１０８および表示制御部１１０は、変更された撮影モードに対応するフレームモードに基づいて、表示部１１２への表示処理を実行することができる。これにより、ユーザは、撮影モードを切り替える際に、フレームモードの設定変更という煩雑な操作を行う必要がなくなる。
【０１０３】
なお、図３に示したフロー図では、撮影モードの変更の有無に基づいてフレームモードの自動更新を行う例について説明したが、本発明はこれらに限定されるものではない。例えば、複数の異なるアスペクト比の画像を同時に撮影している最中に、ズーム機能の利用の有無に基づいてフレームモードを自動で更新することもできる。これにより、ユーザは、複数の異なるアスペクト比の画像を同時に撮影している最中に、サブ画像の撮影範囲をズーム機能で拡大／縮小する場合に、フレームモードの設定変更という煩雑な操作を行う必要がなくなる。
【０１０４】
また、図３に示したフロー図では、撮像装置１００が１６：９の表示可能領域を有する表示部１１２を備え、接続される外部装置に４：３の表示可能領域を有する表示部１１２がさらに備えられている場合を例に説明したが、これらに限定されるものではない。すなわち、表示可能領域のアスペクト比は特定の値に限定されるものではない。また、表示部１１２は撮像装置１００のみに備えられても、接続される外部装置のみに備えられても、撮像装置１００および外部装置の両方に備えられてもよい。
【０１０５】
また、図４〜６に示した表示部１１２の表示例は、上述した図２のフレームモードに対応する表示の一例であり、本発明はこれらに限定されるものではない。すなわち、図２に示したフレームモード以外が登録されている場合には、当該フレームモードに対応する撮影領域が表示部１１２に表示されることとなる。例えば、サブ画像撮影領域の縦方向および横方向の境界がともに表示部１１２の表示可能領域外に存在している場合、図７に示すような領域通知アイコン１３０が表示されてもよい。このように、本実施形態に係る撮像装置１００は、複数のアスペクト比の画像を同時記録する場合に、サブ画像撮影領域と表示部１１２の表示可能領域との関係に基づいて適切なガイドフレーム１３２や領域通知アイコン１３０を表示させることができる。
【０１０６】
（５．画像データ記録時の撮影領域の表示処理フロー）
次に、ユーザが実際に撮影を実行するとき、すなわち画像記録時における表示部１１２への表示処理の流れについて説明する。上述したように、撮像装置１００は、ユーザが複数のアスペクト比の画像を同時撮影するモードを選択した際に、表示部１１２にメイン画像撮影領域を最大限に表示し、サブ画像撮影領域を通知するガイドフレーム１３２や領域通知アイコン１３０などを表示する。また、本実施形態に係る撮像装置１００は、例えば、ユーザが実際にサブ画像として動画ファイルの撮影開始を指示した場合に、表示中の領域通知アイコン１３０を変化させることにより、サブ画像が現在録画中であることをユーザに認識させることもできる。
【０１０７】
図８は、ユーザが複数のアスペクト比の画像を同時撮影するモードを選択している場合において、サブ画像として動画ファイルの録画開始を指示した際の撮像装置１００による表示部１１２への表示処理の流れの一例を示すフロー図である。なお、ユーザが複数のアスペクト比の画像を同時撮影するモードを選択した際の表示部１１２への表示処理については、図３に示した処理フローと同様であるため詳細は省略する。また、図８に示す処理フローでは、説明の便宜上、フレームモードＮｏ．１〜３のみが設定されている場合を例に説明するが、これらに限定されるものではなく、これらとは異なるフレームモードが設定されることも当然に可能である。
【０１０８】
図８に示すように、撮像装置１００は、表示部１１２に所定のガイドフレーム１３２や領域通知アイコン１３０を表示した後、ユーザがサブ画像の録画開始を指示したか否かによって領地通知アイコン１３０の表示を切り替える。具体的には、制御部１２２は、複数のアスペクト比の画像を同時撮影するモードにおいて、モード変更およびフレームモードの変更がない場合には、ステップ７００において、ユーザがサブ画像の録画開始を指示したか否かを判断する。制御部１２２は、操作入力部１２０から伝送されたユーザ操作に関する情報に基づいて、ユーザがサブ画像の録画開始を指示したか否かを判断することができる。
【０１０９】
ステップ７００によりユーザがサブ画像の録画開始を指示したと判断された場合、制御部１２２は、ステップ７０２において、各機能構成部に対して、サブ画像が録画中であることをユーザに通知可能な録画中領域通知アイコン１３４への更新処理の実行を指示する。具体的には、領域通知画像生成部１０６は、制御部１２２からの指示に応じて、録画待機中のサブ画像の領域通知アイコン１３０とは異なる録画中領域通知アイコン１３４を含む領域通知画像を生成する。さらに、画像合成部１０８は、画像表示範囲抽出部１０４によって抽出された画像と、領域通知画像生成部１０６によって生成された録画中領域通知アイコン１３４を含む領域通知画像と、を合成した画像を生成する。
【０１１０】
その後、ステップ３２６において、表示制御部１１０は、制御部１２２からの指示に応じて、画像合成部１０８によって生成された画像を表示部１１２に表示させる。図９は、サブ画像としての動画が録画中における表示部１１２の表示例を示す説明図である。図９に示すように、図４に示した録画待機中の領域通知アイコン１３０とは異なる形状の録画中領域通知アイコン１３４が表示されていることがわかる。この結果、ユーザは、表示部１１２に最大限に表示された画像に基づくメイン画像の撮影と同時に、サブ画像撮影領域の境界と、サブ画像が録画中であることを認識することができる。
【０１１１】
なお、図９に示した録画中領域通知アイコン１３４は、本実施形態を説明する上での一例であり、本発明はこれらに限定されるものではない。すなわち、図９に示した例とは異なる大きさ、形状の録画中領域通知アイコン１３４であってもよい。また、例えば、録画待機中の領域通知アイコン１３０と、録画中領域通知アイコン１３４の色を変更することによりユーザにサブ画像が録画中であることを認識させてもよい。また、録画中領域通知アイコン１３４を点滅表示させることによりユーザにサブ画像が録画中であることを通知させてもよい。このように、本実施形態に係る撮像装置１００は、録画待機中と録画中で領域通知アイコン１３０の表示を変化させることができれば、録画中領域通知アイコン１３４の形状、大きさ、色などは特定のものに限定されるものではない。
【０１１２】
一方、ステップ７００によりユーザがサブ画像の録画開始を指示したと判断されなかった場合、制御部１２２は、ステップ７０４において、ユーザがサブ画像の録画終了を指示したか否かを判断する。制御部１２２は、操作入力部１２０から伝送されたユーザ操作に関する情報に基づいて、ユーザがサブ画像の録画終了を指示したか否かを判断することができる。
【０１１３】
ステップ７０４によりユーザがサブ画像の録画終了を指示したと判断された場合、制御部１２２は、ステップ７０６において、各機能構成部に対して、サブ画像が録画待機状態であることをユーザに通知可能な領域通知アイコン１３０への更新処理の実行を指示する。具体的には、領域通知画像生成部１０６は、制御部１２２からの指示に応じて、録画待機中のサブ画像の領域通知アイコン１３０を含む領域通知画像を生成する。さらに、画像合成部１０８は、画像表示範囲抽出部１０４によって抽出された画像と、領域通知画像生成部１０６によって生成された録画待機中の領域通知アイコン１３０を含む領域通知画像と、を合成した画像を生成する。
【０１１４】
その後、ステップ３２６において、表示制御部１１０は、制御部１２２からの指示に応じて、画像合成部１０８によって生成された画像を表示部１１２に表示させる。すなわち、表示制御部１１０は、図９に示した録画中における表示部１１２の表示から、図４に示した録画待機中における表示部１１２への表示切り替えを実行する。この結果、ユーザは、表示部１１２に最大限に表示された画像に基づくメイン画像の撮影と同時に、録画待機中のサブ画像撮影領域の境界を領域通知アイコン１３０やガイドフレーム１３２に基づいて認識することができる。
【０１１５】
このように、本実施形態に係る撮像装置１００は、複数のアスペクト比の画像を同時記録するモードにおいて、サブ画像が録画待機中である場合と、録画中である場合とで、領域通知アイコン１３０の表示を適宜更新することができる。この結果、ユーザは、表示部１１２に最大限に表示された画像に基づくメイン画像の撮影と同時に、サブ画像撮影領域の境界、およびサブ画像が録画中であるか否かを認識することができる。すなわち、本実施形態に係る撮像装置１００は、複数のアスペクト比の画像を同時に撮影する際のユーザビリティを高めることが可能である。
【０１１６】
（６．撮像装置１００による同時撮影の利用例）
ここで、上述したような特徴を有する本実施形態に係る撮像装置１００を利用して、複数のアスペクト比の画像を同時に撮影する利用例について説明する。上述したように、撮像装置１００は、複数のアスペクト比の画像を同時撮影する際に、メイン画像撮影領域を表示部１１２に最大限に表示し、サブ画像撮影領域の境界をガイドフレーム１３２や領域通知アイコン１３０を用いてユーザに認識させることができる。このような特徴を利用して、ユーザは、例えば、定点観測や実験撮影などに本実施形態に係る撮像装置１００を利用することができる。
【０１１７】
図１０は、定点観測や実験撮影などに本実施形態に係る撮像装置１００を利用する際の概念を示す説明図である。図１０に示す例は、ユーザが、メイン画像として１６：９の動画の撮影を行うと同時に、参考データとして４：３の動画（または静止画）のサブ画像を撮影する際の撮像装置１００の利用例である。ユーザは、あくまで１６：９の動画をメイン画像として撮影するため、上述したように、表示部１１２の表示可能領域には１６：９のメイン画像撮影領域が最大限に表示されることとなる。この結果、ユーザは、表示部１１２の表示可能領域に最大限に表示されたメイン画像撮影領域を見ながら、主として撮影を希望する画像のフレーミングやフォーカシングなどといった撮影に必要な調整や操作を行うことができる。
【０１１８】
さらに、４：３のサブ画像撮影領域の境界が、表示部１１２に画像表示領域から上下方向にはみ出して存在しているため、表示部１１２には領域通知アイコン１３０が表示されることとなる。したがって、ユーザは、表示部１１２の表示可能領域に表示されている画像の範囲外に４：３のサブ画像撮影領域が存在することを視覚的に認識することができる。
【０１１９】
定点観測や実験撮影などを行う際には、観測位置や撮影時刻などを画像ファイルに同時に記録することが要求されることが多い。このような場合、ユーザは、図１０に示すように、観測位置や撮影時刻などが記載された撮影データプレートを治具などにより固定することにより、４：３のサブ画像のみにプレートに記載された情報を重ねて記録させることができる。ユーザは、表示部１１２の表示を一時的にサブ画像撮影領域が映るように切り替えて、撮影データプレートが４：３のサブ画像撮影領域に含まれていることを確認する。その後は、上述したように表示部１１２にメイン画像撮影領域を最大限に表示させて撮影を実行することができる。ユーザは、撮影中においても、領域通知アイコン１３０が表示部１１２に表示されていることにより、４：３のサブ画像撮影領域が表示部１１２の表示可能領域外に存在し、撮影データプレートが同時に記録されていることを認識することができる。
【０１２０】
このようにして同時に記録されたメイン画像としての１６：９の動画データと、サブ画像としての４：３の動画（または静止画）データは、図１１および図１２のようになる。図１１に示すようなメイン画像として１６：９の動画データが記録されると同時に、図１２に示すようなサブ画像としての４：３の動画（または静止画）データが記録されることとなる。図１２を参照すると、サブ画像の上部には、表示部１１２の表示可能領域には表示されていなかった撮影データプレートが映っていることがわかる。
【０１２１】
上述した利用例のように、ユーザは、複数のアスペクト比の画像を同時に撮影する際には、必ずしも副次的に録画するサブ画像の撮影領域を常に確認する必要はない。むしろユーザは、主として撮影を要望するメイン画像の撮影領域を常に確認し、適切なフレーミングやフォーカシングなどの調整・操作を希望することが多い。本実施形態に係る撮像装置１００は、上述した特徴を利用することでこのようなユーザの要望にこたえることができ、ユーザビリティの高い撮影機能を提供することができる。
【０１２２】
なお、図１０に示した撮像装置１００の利用例は、本実施形態に係る撮像装置１００の利用例の１つであり、本実施形態に係る撮像装置１００は、その他種々の撮影態様に利用することも当然に可能である。また、上述した図１０の例では、撮影データプレートを治具に固定したが、撮像装置１００自体が観測位置、撮影時刻、撮影者などに関する所定のプレート情報を管理し、自動的にサブ画像に重ねて記録することもできる。撮像装置１００は、サブ画像に記録するプレート情報をＲＯＭなどの記憶部に記憶しておき、サブ画像の記録時に、表示部１１２の表示可能領域外に存在するサブ画像撮影領域にプレート情報を重ねて記録することができる。これにより、ユーザは、例えば、操作入力部１２０を介して任意の文字や記号などをプレート情報として設定することにより、サブ画像に希望するプレート情報を重ねて記録することもできる。
【０１２３】
（７．撮像装置１００のハードウェア構成について）
次に、図１３を参照しながら、本実施形態に係る撮像装置１００のハードウェア構成について、詳細に説明する。図１３は、本実施形態に係る撮像装置１００のハードウェア構成を説明するためのブロック図である。
【０１２４】
撮像装置１００は主に、ＣＰＵ９０１と、ＲＯＭ９０３と、ＲＡＭ９０５と、ブリッジ９０９と、インターフェース９１３と、入力装置９１５と、出力装置９１７と、ストレージ装置９１９と、ドライブ９２１と、接続ポート９２３と、を含んで構成される。
【０１２５】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、撮像装置１００内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらはＣＰＵバス等の内部バスにより構成されるホストバス９０７により相互に接続されている。
【０１２６】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０１２７】
入力装置９１５は、例えば、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよい。ユーザは、入力装置９１５を操作することにより、上述した操作入力部１２０や制御部１２２などを介して、撮像装置１００に対して各種処理動作を指示することができる。
【０１２８】
出力装置９１７は、例えば、液晶ディスプレイ装置、プラズマディスプレイ装置、ＥＬディスプレイ装置などの表示装置や、スピーカおよびヘッドホンなどの音声出力装置など、各種情報をユーザに対して視覚的または聴覚的に通知することが可能な装置で構成される。出力装置９１７は、上述した表示部１１２による処理に応じて、撮影画像やメニュー画面などを表示することができる。
【０１２９】
ストレージ装置９１９は、撮像装置１００の記憶部の一例として構成されたデータ格納用の装置であり、例えば、ＨＤＤ等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および撮影された画像データなどを格納する。
【０１３０】
ドライブ９２１は、記録媒体用リーダライタであり、撮像装置１００に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されているリムーバブル記録媒体９２７に画像データなどを書き込むことも可能である。
【０１３１】
接続ポート９２３は、例えば、ＵＳＢポート、光オーディオ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート等の、外部接続機器９２９に直接接続するためのポートである。この接続ポート９２３に外部接続機器９２９を接続することで、撮像装置１００は、外部接続機器９２９から画像データを取得したり、外部接続機器９２９に録画した画像データを転送したりすることができる。また、撮像装置１００は、例えば、外部接続機器９２９とＨＤＭＩ接続されることにより、外部接続機器９２９が備える表示装置に関して、アスペクト比を含む詳細仕様を取得することもできる。
【０１３２】
以上、本発明の各実施形態に係る撮像装置１００の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０１３３】
（８．まとめ）
以上説明したように、撮像装置１００は、複数のアスペクト比の画像を同時撮影する際に、ユーザが主として撮影を希望するメイン画像の撮影領域（メイン画像撮影領域）を表示部１１２の表示可能領域に最大限に表示させることができる。これにより、ユーザは、表示部１１２に最大限に表示されているメイン画像撮影領域を見て、メイン画像のフレーミングやフォーカシングなどの調整や操作を行うことができる。また、撮像装置１００は、ユーザが副次的に撮影を希望するサブ画像の撮影領域（サブ画像撮影領域）が表示部１１２の表示可能領域外に存在する場合には、ガイドフレーム１３２や領域通知アイコン１３０を表示させることができる。これにより、ユーザは、サブ画像撮影領域が表示部１１２の表示可能領域外に存在していることを視覚的に認識できる。したがって、ユーザは、サブ画像の撮影領域を一度決定した後は、表示部１１２の表示可能領域にメイン画像撮影領域を最大限に表示させて同時撮影を実行することができる。このように、本実施形態に係る撮像装置１００は、複数のアスペクト比の画像を同時撮影する際のユーザビリティを高めることが可能である。
【０１３４】
また、撮像装置１００は、サブ画像に対する録画機能の待機中と実行中とで、領域通知アイコン１３０の表示を適宜更新することにより、ユーザにサブ画像に対する録画機能の実行の有無を視覚的に認識させることもできる。また、撮像装置１００は、所定の文字や記号などが記録されたプレート情報を、表示部１１２の表示可能領域外に存在するサブ画像撮影領域に重ねて記録することもできる。このように、本実施形態に係る撮像装置１００は、表示させる領域通知アイコン１３０の更新機能や、サブ画像へのプレート情報の記録機能などを追加的に備えることにより、複数のアスペクト比の画像を同時撮影する際のユーザビリティをさらに高めることも可能である。
【０１３５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１３６】
例えば、上記実施形態の説明において示した添付図面の表示部１１２の表示例は、上記実施形態を説明する上での一例であり、本発明はかかる例に限定されない。例えば、領域通知アイコン１３０の形状、大きさなどは、各図面に示した例に限定されるものではなく、表示部１１２の表示可能領域外にサブ画像撮影領域が存在することを示すことが可能なものであれば、特定の形状や大きさなどに限定されるものではない。
【０１３７】
また、上記実施形態において例示したフレームモードの種類や組み合わせは、上記実施形態を説明する上での一例であり、本発明はかかる例に限定されない。例えば、撮像装置１００は、上述した例以外のアスペクト比の画像も撮影することができ、上述した例以外のアスペクト比のディスプレイを有する表示部１１２を備えることも当然に可能である。また、撮像装置１００が管理するフレームモードの数も上記例に限定されるものではなく、撮像装置１００は、撮影モードの種類、数、性能などに応じて、任意の数のフレームモードを管理することができる。
【０１３８】
また、本明細書において、フロー図に記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【図面の簡単な説明】
【０１３９】
【図１】本発明の実施形態の１つに係る撮像装置１００の機能構成の一例を示すブロック図である。
【図２】同実施形態において、ユーザが任意に選択可能なフレームモードの種類の一例を示す説明図である。
【図３】同実施形態に係る撮像装置１００が、複数のアスペクト比の画像を同時に撮影する際に、各画像の撮影領域を表示部１１２に表示させる処理の流れの一例を示す説明図である。
【図４】同実施形態において、フレームモードＮｏ．１に対応する表示部１１２の表示例を示す説明図である。
【図５】同実施形態において、フレームモードＮｏ．２に対応する表示部１１２の表示例を示す説明図である。
【図６】同実施形態において、フレームモードＮｏ．３に対応する表示部１１２の表示例を示す説明図である。
【図７】同実施形態において、表示部１１２への撮影領域の表示例を示す説明図である。
【図８】同実施形態において、ユーザがサブ画像として動画ファイルの録画開始を指示した際の撮像装置１００による表示部１１２への表示処理の流れの一例を示すフロー図である。
【図９】同実施形態において、サブ画像としての動画が録画中における表示部１１２の表示例を示す説明図である。
【図１０】定点観測や実験撮影などに同実施形態に係る撮像装置１００を利用する際の概念を示す説明図である。
【図１１】同実施形態に係る撮像装置１００を利用して録画された１６：９のメイン画像の一例を示す説明図である。
【図１２】同実施形態に係る撮像装置１００を利用して録画された４：３のメイン画像の一例を示す説明図である。
【図１３】同実施形態に係る撮像装置１００のハードウェア構成の一例を示すブロック図である。
【図１４】従来の撮像装置において、複数のアスペクト比に対応する撮影領域を表示する表示器の表示例を示す説明図である。
【図１５】従来の撮像装置において、１６：９のアスペクト比の表示可能領域１０を有する表示器に表示させるガイドフレームの組み合わせ例を示す説明図である。
【図１６】従来の撮像装置において、１６：９の動画撮影と、当該動画よりも画像サイズの大きい４：３の静止画撮影と、を同時に撮影する場合の表示器の表示例を示す説明図である。
【図１７】従来の撮像装置において、１６：９の動画撮影と、当当該動画よりも画像サイズの大きい４：３のアスペクト比の静止画撮影と、を同時に撮影する場合の表示器１０の別の表示例を示す説明図である。
【符号の説明】
【０１４０】
１００    撮像装置
１０２    画像入力部
１０４    画像表示範囲抽出部
１０６    領域通知画像生成部
１０８    画像合成部
１１０    表示制御部
１１２    表示部
１１４    画像記録範囲抽出部
１１５    記憶部
１１６    第１記憶部
１１８    第２記憶部
１２０    操作入力部
１２２    制御部
１３０    領域通知アイコン
１３２    ガイドフレーム
１３４    録画中領域通知アイコン
【図１】
2010103676.tif 000003
【図２】
2010103676.tif 000004
【図３】
2010103676.tif 000005
【図４】
2010103676.tif 000006
【図５】
2010103676.tif 000007
【図６】
2010103676.tif 000008
【図７】
2010103676.tif 000009
【図８】
2010103676.tif 000010
【図９】
2010103676.tif 000011
【図１０】
2010103676.tif 000012
【図１１】
2010103676.tif 000013
【図１２】
2010103676.tif 000014
【図１３】
2010103676.tif 000015
【図１４】
2010103676.tif 000016
【図１５】
2010103676.tif 000017
【図１６】
2010103676.tif 000018
【図１７】
2010103676.tif 000019